(57)【要約】【課題】設置スペースを広げることなく、快適な入力を可能にする入力装置を提供する。【解決手段】入力装置１において、パームレスト５又は入力部８が搭載された第２トレイ６は略垂直に立てた状態でキーボード３が搭載された第１トレイ４の背面側に収納され、キーボード３の使用時には、第１トレイ４が前方（操作者側）に傾けられ、第２トレイ６は第１トレイ４の背面側から引き出されて、前方に傾けられるように第１トレイ４の下方から突出する。【選択図】図４
2018169742.tif 000002
【特許請求の範囲】
【請求項１】
外装カバーと、
一端が前記外装カバーに回動可能に固定されるアーム部材と、
キーボードが搭載され、前記外装カバーに回動可能に固定される第１トレイと、
パームレストが搭載され、前記第１トレイに対して摺動可能に固定され、アーム部材の他端が回動可能に固定される第２トレイと、
前記第２トレイに回動可能に固定される引出部とを備え、
前記第２トレイは略垂直に立てた状態で前記第１トレイの背面側に収納され、前記キーボードの使用時には、前記第１トレイは前方に傾けられ、前記第２トレイは前記第１トレイの背面側から引き出されて、前方に傾けられるように前記第１トレイの下方から突出することを特徴とする入力装置。
【請求項２】
前記第２トレイは、前記パームレストに代えて、操作指示を入力する操作部材を搭載することを特徴とする請求項１に記載の入力装置。
【請求項３】
前記外装カバーは、第１係合部を備え、
前記第２トレイは、前記引出部の押し込みにより、前記第１係合部との係合又は前記第１係合部との係合の解除を行う第２係合部を備えることを特徴とする請求項１又は２に記載の入力装置。
【発明の詳細な説明】
【技術分野】
【０００１】
本発明は、入力装置に関する。
【背景技術】
【０００２】
従来より、工作機械等の操作盤に搭載されるキーボードが知られている。このキーボードは地面に対して垂直に配置されている。また、キーボードを斜めに取り付けた操作盤も知られている。
【０００３】
また、電子機器の前面に装着され、傾き角度を調整できる操作パネルが知られている（例えば、特許文献１参照）。さらに、パネル本体と、パネル本体の表面に露出するように設けられたタッチパネルと、使用者が手を載置するための入力補助部材とを有する操作パネルが知られている（例えば、特許文献２参照）。特許文献２の操作パネルでは、パネル本体が水平面に対して傾斜を有するように回動する際、パネル本体の回動に連動して、パネル本体の表面から突出する入力補助部材の突出量が変化する。
【先行技術文献】
【特許文献】
【０００４】
【特許文献１】特開平５−１１４２８１号公報
【特許文献２】特開２０１０−２５６９４８号公報
【発明の概要】
【発明が解決しようとする課題】
【０００５】
操作盤に搭載されるキーボードが地面に対して垂直に配置されている場合、ボタンを押下するには作業者に大きな負荷はないが、通常のキーボードのように使うには入力作業がやりにくく、作業者の疲労につながる。また、キーボードを斜めに取り付けた操作盤では、操作盤の奥行きが長くなり、操作盤の設置スペースが水平方向に広がってしまう。
【０００６】
本発明の目的は、設置スペースを広げることなく、快適な入力を可能にする入力装置を提供することにある。
【課題を解決するための手段】
【０００７】
上記目的を達成するため、明細書に開示された入力装置は、外装カバーと、一端が前記外装カバーに回動可能に固定されるアーム部材と、キーボードが搭載され、前記外装カバーに回動可能に固定される第１トレイと、パームレストが搭載され、前記第１トレイに対して摺動可能に固定され、アーム部材の他端が回動可能に固定される第２トレイと、前記第２トレイに回動可能に固定される引出部とを備え、前記第２トレイは略垂直に立てた状態で前記第１トレイの背面側に収納され、前記キーボードの使用時には、前記第１トレイは前方に傾けられ、前記第２トレイは前記第１トレイの背面側から引き出されて、前方に傾けられるように前記第１トレイの下方から突出することを特徴とする。
【発明の効果】
【０００８】
本発明によれば、設置スペースを広げることなく、快適な入力を可能にする。
【図面の簡単な説明】
【０００９】
【図１】本実施の形態に係る入力装置の分解斜視図である。
【図２】（Ａ）は、外装カバーの構成図である。（Ｂ）は、アームの構成図である。（Ｃ）は、他のアームの構成図である。（Ｄ）は、裏側から見た第１トレイの構成図である。
【図３】（Ａ）は、裏側から見た第２トレイの構成図である。（Ｂ）は、裏側から見た第２トレイ及び引出部の構成図である。
【図４】（Ａ）は、第１トレイ及び第２トレイが引き出される場合の入力装置の断面の状態遷移を示す図である。（Ｂ）は、第１トレイ及び第２トレイが引き出される場合の入力装置の状態遷移を示す図である。
【発明を実施するための形態】
【００１０】
以下、図面を参照しながら本発明の実施の形態を説明する。
【００１１】
図１は、本実施の形態に係る入力装置の分解斜視図である。以下では、便宜上、図１に示すように上下左右方向を定義する。
【００１２】
本実施の形態に係る入力装置１は、工作機械の操作盤等に搭載され、地面に対して垂直に配置される。入力装置１は、外装カバー２、キーボード３、第１トレイ４、パームレスト５、第２トレイ６及び引出部７を備えている。第２トレイ６には、パームレスト５又は入力部８のいずれかが取り付けられる。
【００１３】
外装カバー２の背面２ａには、キーボード３及び入力部８から伸びる不図示のＦＰＣ（Flexible printed circuits）を外装カバー２の外部に引き出すための貫通孔２１、アーム１１が取り付けられるフック２３、及び第２トレイ６に設けられたプッシュラッチ（オス）６６（図３（Ａ）参照）と係合するプッシュラッチ（メス）２４が設けられている。プッシュラッチ２４は第１係合部として機能し、プッシュラッチ６６は第２係合部として機能する。外装カバー２の左右の側面２ｂには、外装カバー２の内側に向けて延出し、第１トレイ４の貫通孔４５に挿入される軸２２が形成されている。
【００１４】
フック２３にはアーム１１の一端が回動可能に取り付けられ、アーム１１の他端にはアーム１２の一端が回動可能に取り付けられている。アーム１２の他端には、外装カバー２の外側に向けて延出し、第２トレイ６の上端の穴（不図示）に回動可能に挿入される軸１３が形成されている。
【００１５】
第１トレイ４の左右側面４１の上端には、軸２２が挿入される貫通孔４５が形成されている。軸２２が貫通孔４５に挿入されると、第１トレイ４は外装カバー２に回動可能に固定される。第１トレイ４の左右側面４１の下端には、後方に伸びる突起４２が形成されている。突起４２には、外装カバー２の内側に向けて延出し、第２トレイ６の長孔６２に挿入される軸４３が形成されている。第１トレイ４の背面４０には、キーボード３のＦＰＣ（不図示）を外部に引き出すための貫通孔４４が形成されており、キーボード３が接着剤又は両面テープなどで固定される。
【００１６】
第２トレイ６の背面６０には、パームレスト５又は入力部８が接着剤又は両面テープなどで固定される。第２トレイ６の左右側面６１には、長孔６２が形成されている。軸４３が第２トレイ６の長孔６２に挿入されると、第２トレイ６は第１トレイ４に対して摺動自在に移動する。第２トレイ６の左右側面６１の下端には、外装カバー２の外側に向けて延出し、引出部７を回動可能に固定する軸６３が形成されている。
【００１７】
引出部７の左右側面７１には、軸６３が挿入される貫通孔７２が形成されている。軸６３が貫通孔７２に挿入されると、引出部７は第２トレイ６に対して回動可能に固定される。入力部８は、タッチパッド８１、入力ボタン８２，８３を備えており、操作指示を入力する操作部材として機能する。
【００１８】
図２（Ａ）は、外装カバー２の構成図である。図２（Ｂ）は、アーム１１の構成図である。図２（Ｃ）は、アーム１２の構成図である。図２（Ｄ）は、裏側から見た第１トレイ４の構成図である。図３（Ａ）は、裏側から見た第２トレイ６の構成図である。図３（Ｂ）は、裏側から見た第２トレイ６及び引出部７の構成図である。尚、図１と重複する構成については、その説明を省略する。
【００１９】
図２（Ａ）に示すように、アーム１１が取り付けられるフック２３は、図２（Ｂ）のアーム１１の軸１１１が挿入される貫通孔２５を備えている。アーム１１は、図２（Ｃ）のアーム１２が回動可能に固定されるスリット１１２を備えている。アーム１２の一端には貫通孔１２１が形成されており、アーム１２の他端には軸１３が形成されている。アーム１１のスリット１１２内には、アーム１２の貫通孔１２１に挿入される軸１１３（図４（Ａ）参照）が形成されている。アーム１１及びアーム１２は、ヒンジのような回動部を介して一体的に構成されていてもよい。
【００２０】
図２（Ｄ）に示すように、第１トレイ４の背面４０の裏側は、第２トレイ６の左右側面６１が当接する凹部４６が形成されている。第１トレイ４及び第２トレイ６が外装カバー２内に収容されると、凹部４６と第２トレイの左右側面６１が当接し、入力装置１の厚みが抑制される。
【００２１】
図３（Ａ），（Ｂ）に示すように、第２トレイ６の左右側面６１には、アーム１２の軸１３が回動可能に挿入される穴６４が形成されている。第２トレイ６の下端には凹部６５が形成されている。凹部６５内には、外装カバー２のプッシュラッチ２４と係合するプッシュラッチ６６が設けられている。プッシュラッチ６６は、引出部７の押し込みにより、プッシュラッチ２４との係合又はプッシュラッチ２４との係合の解除を交互に行う。第１トレイ４及び第２トレイ６が外装カバー２内に収容されると、外装カバー２のプッシュラッチ２４が外装カバー２のプッシュラッチ６６と係合する。第１トレイ４及び第２トレイ６が外装カバー２から引き出される場合には、操作者が引出部７を押し込むことで、外装カバー２のプッシュラッチ６６が外装カバー２のプッシュラッチ２４から外れる。引出部７には、プッシュラッチ６６と対向する位置に凹部７３が形成されている。
【００２２】
図４（Ａ）は、第１トレイ４及び第２トレイ６が引き出される場合の入力装置１の断面の状態遷移を示す図である。図４（Ｂ）は、第１トレイ４及び第２トレイ６が引き出される場合の入力装置１の状態遷移を示す図である。
【００２３】
図４（Ａ）及び図４（Ｂ）の左図は、第１トレイ４及び第２トレイ６が外装カバー２内に収容されている状態を示す。この状態では、パームレスト５又は入力部８が取り付けられた第２トレイ６は、キーボード３が取り付けられた第１トレイ４の背面側に配置されている。この状態で操作者が引出部７を押し込むと、外装カバー２のプッシュラッチ６６が外装カバー２のプッシュラッチ２４から外れる。そして、操作者が引出部７を引き出すと、アーム１１が軸１１１を支点として反時計回りに回転し、第２トレイ６は軸１１３を支点として時計回りに回転し、第１トレイ４の軸４３は第２トレイ６の長孔６２内を摺動し、第１トレイ４は軸２２を支点として時計回りに回転する。これにより、図４（Ａ）及び図４（Ｂ）の中央図に示すように、第１トレイ４が少し開いた状態になる。
【００２４】
さらに、操作者が引出部７を引き出すと、アーム１１が軸１１１を支点として反時計回りに回転し、この回転に伴いアーム１２が下方に引き込まれ、第２トレイ６は軸１３を支点として時計回りに回転しつつ、前方に大きく引き出される。第１トレイ４の軸４３は第２トレイ６の長孔６２内をさらに摺動し、第１トレイ４は軸２２を支点として時計回りに回転する。これにより、図４（Ａ）及び図４（Ｂ）の右図に示すように、第２トレイ６が最大に引き出された状態になる。第２トレイ６が最大に引き出した状態で止まると、アーム１１及び１２の回転も許容された可動域で止まる。このとき、第２トレイ６は動かない状態になる。引出部７は第２トレイ６の軸６３を支点として反時計回りに回転し、第２トレイ６と略同一平面になる位置で止まる。
【００２５】
第１トレイ４及び第２トレイ６を外装カバー２内に収納する場合は、操作者は、図４（Ａ）の右上方向に引出部７を押し込むことで、それぞれの部材が引き出し時と逆の動作を行う。これにより、図４（Ａ）及び図４（Ｂ）の左図のように、第１トレイ４及び第２トレイ６が外装カバー２内に収容される。
【００２６】
以上説明したように、本実施の形態によれば、地面に対して垂直に配置される入力装置１において、パームレスト５又は入力部８が搭載された第２トレイ６は略垂直に立てた状態でキーボード３が搭載された第１トレイ４の背面側に収納され、キーボード３の使用時には、第１トレイ４が前方（操作者側）に傾けられ、第２トレイ６は第１トレイ４の背面側から引き出されて、前方に傾けられるように第１トレイ４の下方から突出する。従って、入力装置１は、設置スペースを広げることなく、快適な入力を可能にすることができる。
【００２７】
尚、本発明は、上述した実施の形態に限定されるものではなく、その要旨を逸脱しない範囲内で種々変形して実施することが可能である。
【符号の説明】
【００２８】
１  入力装置
２  外装カバー
３  キーボード
４  第１トレイ
５  パームレスト
６  第２トレイ
７  引出部
８  入力部
２４，６６  プッシュラッチ
【図１】
2018169742.tif 000003
【図２】
2018169742.tif 000004
【図３】
2018169742.tif 000005
【図４】
2018169742.tif 000006